(57)【特許請求の範囲】
【請求項１】
鞄類に使用するバンドを有色樹脂層と透明樹脂層との二層構造とし、その有色樹脂層と透明樹脂層との間の長手方向に空間部を設け、空間部内に反射面を透明樹脂層側に向けた光反射テープと、光反射テープ反射面に対する透明樹脂層の当接を防ぐ透光性樹脂部とを備えていることを特徴とする鞄類。
【請求項２】
有色樹脂層内の長手方向にバンドの無用な伸びを防止する補強線材を埋入していることを特徴とする請求項1記載の鞄類。
【発明の詳細な説明】
【０００１】
【発明の属する技術分野】
本発明は、バンドを備えているハンドバック、ランドセル又はトランク等の鞄類であって、バンドに光反射機能を備えることにより交通安全に貢献し得るようにしたものである。
【０００２】
【従来の技術】
鞄類の内、小学生が背負うランドセルは、登下校時などに不慮の交通事故に遭わないようにするため、自動車等の運転者に注意を喚起させるべく種々の工夫が施されている。例えば、ランドセルの被せ蓋に黄色布を被着したり、被せ蓋又は収容部の両側面に円形の蛍光テープを貼着するといった手段が採られている。処が、ランドセルは六年間という長期に亘り使用され、しかも乱雑に扱われがちであることから、その間に黄色布又は蛍光テープが破損し、本来の注意喚起の効果を十分に発揮できなくなることがあった。
【０００３】
一方、肩掛けバンドに光反射テープを一体に縫着する場合、通常、皮製等の表地と裏地との間にクッション材を被包し、表地の所定部位に窓孔を設け、窓孔部位の表地とクッション材との間に、外面側に透明シートを重ねた光反射テープを収納し、表地と裏地との縫合時に、透明シートと光反射テープとを同時に縫合していた。
【０００４】
【発明が解決しようとする課題】
しかしながら、光反射テープを透明シートで覆うバンドにあっては、例えランドセルが乱雑に扱われても光反射テープが擦れて破損することはなくなるが、製品化において、表地の所定部位に窓孔を設け、窓孔部位の表地とクッション材との間に、外面側に透明シートを重ねた光反射テープを収納すると共に、表地と裏地との縫合時に、透明シートと光反射テープとを同時に縫合するといった通常の作業に比べ余分で面倒な作業を強いられる。
【０００５】
このため、バンドの製作工程が複雑となり、手間が多く、余分な時間も掛かることから製作コストも高くなるという課題がある。また、窓孔を開設することから体裁が悪く、デザイン的にも劣り、商品価値を高められないという課題もあった。このことは、ランドセルにおいて、収容部の両側面と前面を囲むように装着する前バンドや、ハンドバッグやトランク等に置いて用いる保形用バンド、又は携帯用バンドについても同様に言えることである。
【０００６】
本願の発明者は、従来の問題点を解決するため、先にバンドを有色樹脂層と透明樹脂層との二層構造に成形し、有色樹脂層と透明樹脂層との間の長手方向に空間部を設け、空間部内に反射面を透明樹脂層側とした光反射テープを挿通した鞄類を発明し、特願２０００−３６３７４４として出願した。
しかしバンドの一部、特に背面側に向けた屈曲部において反射が落ちる不具合が発生した。その原因を究明した所、有色樹脂層と透明樹脂層との間に設けた空間部は、一般の測定器具で計測し得ない程度の隙間であるため、温度変化等によって当接したり、屈曲部において空間部が潰れて当接することにより生じることが解明された。
【０００７】
そこで、本発明は上記課題に鑑みてなされたもので、バンドを備えてなる鞄類において、バンドが外気温度や使用状態に左右されず常に光反射を成し、交通安全に貢献し得る鞄類を提供することを目的とするものである。
【０００８】
【課題を解決するための手段】
上記目的を達成するために本発明に係る鞄類は、請求項１として、鞄類に使用するバンドを、有色樹脂層と透明樹脂層との二層構造とし、その有色樹脂層と透明樹脂層との間の長手方向に空間部を設け、空間部内に光反射テープの反射面を透明樹脂層側に向けて挿入すると共に、光反射テープ反射面に対する透明樹脂層の当接を防ぐ透光性樹脂部を備えている。
請求項２として、請求項１の鞄類において、有色樹脂層内の長手方向にバンドの無用な伸びを防止する補強線材を埋入している。
【０００９】
光反射テープとして、例えば合成樹脂等からなるシートに硝子粉末のような反射体の塗膜層を形成したガラスビーズタイプと、シートに極小のピラミッド状プリズムを着接したプリズムタイプとが有るが、ガラスビーズタイプのものが好ましい。
透光性樹脂部として、透光性を有する耐熱合成樹脂テープや耐熱合成樹脂フイルム等を用い、光反射テープの幅以内に重なるように設けるか、光反射テープ幅の適宜位置に重なるように設ける。
【００１０】
このように、バンド本体を有色樹脂層と透明樹脂層とから成る二層構造とし、有色樹脂層と透明樹脂層との間の長手方向に空間部を設け、空間部内に光反射テープと透光性樹脂部とを備え、透光性樹脂部によって光反射テープ反射面と透明樹脂層との当接を防いでいるので、バンドの反射性能が外気温度や使用状態によって低下することはなく、そのまま製品として使用でき、鞄類の製作の簡易化を図ることができる。
【００１１】
光反射テープは空間部内にあり、透光性樹脂部を介して透明樹脂層で覆われているから、擦れたり物に当っても反射面が傷つくことはなく、本来の輝度を常に維持し、注意喚起の効果を十分に発揮し、これにより交通の安全に貢献する。
【００１２】
請求項２の鞄類は、請求項１の特徴に加え、有色樹脂層内の長手方向に沿って補強線材を埋入しているので、これにより、バンドの無用な伸びを防止することができ、更には光反射テープや透光性樹脂部の破断も防止し得る。
【００１３】
【発明の実施の形態】
先ず、本発明による鞄類の実施形態をランドセルにおいて説明するが、ランドセルに限られるものではなく、例えば保形用または携帯用のバンドを備えたハンドバッグ又はトランク等の鞄類についても適用できることは勿論である。
尚、本実施形態のランドセルは、牛皮または合成皮革を縫着することにより製作される。
【００１４】
図１のランドセルにおいて、教科書，ノートなどの学用品を収容させる収容部１は、背板部２と前板部３との間の底面に底板４を、両側面にまち皮５を備え、上方に開口部６を有する略箱状を成し、収容部１に仕切板７で前後に区切られた小区画部１ａ，１ｂと、最前側に上部口８をファスナー９で開閉するポケット部１０とを備え、ポケット部１０の前面に名札挿入口１６付の名札収容部１７を設け、ポケット部１０に小物などの物品を収納できるようにしている。
【００１５】
ランドセルは、背板部２の上縁に収容部１の開口部６とポケット部１０の全面に至る部分を覆う開閉自在の被せ蓋１１を備え、背板部２の中央上部に一対の肩掛けバンド１３ａを、底板４の両側に肩掛けバンド１３ａの受けバンド１３ｂを取着しており、被せ蓋１１は先端に公知の係止具１２を取着し、底板４の係止具（図示せず）に着脱自在に係合できるようになっている。
肩掛けバンド１３ａは先端側に複数の調節孔１４を列設し、受けバンド１３ｂは先端に肩掛けバンド１３ａが挿通係止するバックル１５を取付けている。
【００１６】
まち皮５の両側面とポケット部１０の前面を囲うように左右一対の前バンド１８を装着しており、この前バンド１８の第一実施形態は、バンド本体１９を有色樹脂層１９ａと透明樹脂層１９ｂとから成る二層構造とし、この有色樹脂層１９ａと透明樹脂層１９ｂとは例えばポリウレタン樹脂からなり、後記する押出し成形により同時に一体成形され、しかも帯状に長く成形される。
尚、バンド本体１９の素材はＰＶＣ樹脂またはＥＶＡ樹脂等他のものであっても良く、可撓性の樹脂が選ばれる。また有色樹脂層１９ａの色は、使用する鞄類の色に合せて選択し得るもので、例えば、ランドセルの色が赤であればこれと同じ赤色にする。同様に光反射テープ２１の色も、有色樹脂層１９ａの色とのコントラスト等を考慮して種々選択し得る。
【００１７】
有色樹脂層１９ａと透明樹脂層１９ｂとの間の長手方向中央に沿って一条の空間部２０が形成され、空間部２０内に光反射テープ２１の反射面２１ａを透明樹脂層１９ｂ側に向けて備えると共に、光反射テープ反射面２１ａに対する透明樹脂層１９ｂの当接を防ぐ透光性樹脂部２２を備えている。
光反射テープ２１は、織布、不織布等の基布に硝子粉末のような反射体を着接するか、合成樹脂等からなる有色テープに硝子粉末のような反射体を着接したガラスビーズタイプであり、空間部幅と略同じ横幅を有する。
この光反射テープ２１は有色樹脂層１９ａ及び透明樹脂層１９ｂの形成時に挿入するが、図３の如く光反射テープ反射面２１ａの幅中間部、幅左右、或いは同幅に耐熱性透光性樹脂部２２を備え、透明樹脂層１９ｂと光反射テープ２１との間に透光性樹脂部２２を介在することとなるので、光反射テープ反射面２１ａに透明樹脂層１９ｂが溶着するようなこともないし、外気温度が上昇したり使用形態が変化しても空間部２０は維持され、高輝度を保つこととなる。
【００１８】
ここで、バンド本体１９の製造方法を図６に基づき簡単に説明すると、押出機の先端に取付けるダイス２３に、加熱溶融された着色樹脂Ｃを供給するための第一供給管２４と、同じく過熱溶融された透明樹脂Ｔを供給するための第二供給管２５とを相対するように設け、第一・二供給管２４，２５の出口２４ａ，２５ａを隣接すると共に、その先方に第一・二供給管２４，２５と連通する一本の吐出管２６を連続して設けている。このことにより、溶融した両樹脂Ｃ，Ｔが各出口２４ａ，２５ａで合流し、二層状態で押出し得るようになる。
【００１９】
第一供給管出口２４ａと二供給管出口２５ａとの間に吐出管２６に連通する挿通口２７を設け、挿通口２７から吐出管２６内に二層の両樹脂Ｃ，Ｔを押出すと共に、光反射テープ２１と透光性樹脂部２２とを重ねて導入する。
略同時に、挿通口２７から吐出管２６内に単位時間あたり所定量の空気を供給し、ダイス２３から押出された二層の両樹脂Ｃ，Ｔを冷却固化する。これにより、図２に示すように有色樹脂層１９ａと透明樹脂層１９ｂとが二層構造を成すバンド本体１９が一体成形されると共に、有色樹脂層１９ａと透明樹脂層１９ｂとの間に長手方向の空間部２０を形成し、その空間部２０内に光反射テープ２１の反射面２１ａを透明樹脂層１９ｂ側に向けて、且つ反射面２１ａ側に透光性樹脂部２２を重ねて挿入するので、標準化が図られ、管理し易い。
【００２０】
上記手段にて形成した長尺のバンド本体１９から、一対のバンド本体１９イ，１９ロを切断し、そのバンド本体１９イ，１９ロの内、図４に示すように一方側バンド本体１９イの一端部を折り返し、折返し部２８を鳩目２９で支着することによりバックル３０を取付け、他方側バンド本体１９ロの一端部に止金３１を取着すると共に、複数の調節孔３２を列設しておき、各バンド本体１９イ，１９ロの多端側に取付孔３３を設け、これを一対の前バンド１８（１８ａ，１８ｂ）として用いる。
【００２１】
そして、各前バンド１８ａ，１８ｂをカバンに取付ける場合、背板部２と収容部１の外周縁を縁飾り３４により一体に縫着する時、その間に各前バンド１８ａ，１８ｂの他端を差しこみ同時に縫着し、両まち皮５に取付孔３３を介して鳩目２９を支着する。また、ポケット部１０の前面に設けた通孔３５に挿通すると共に、各一端部をバックル３０にて繋ぎ止め、前バンド１８（１８ａ，１８ｂ）を装着する。
【００２２】
本発明に係る鞄類のランドセルにあっては、光反射テープ２１を着色樹脂挿１９ａと透明樹脂層１９ｂとの間に形成される空間部２０内に挿通しているので、夜間に歩行する時など、自動車等のライトが当ると明瞭に反射して運転手に注意を喚起することとなり、交通事故を未然に防止することができる。また、反射テープ２１は透明樹脂層１９ｂにより完全に保護されていることから、擦れたり物に当っても光反射テープ２１の反射面２１ａが傷つくことはない。特に反射面２１ａ側に透光性樹脂部２２を備えているので、バンド本体１９の成形時に反射面２１ａと透明樹脂層１９ｂとが当接することもないし、使用中に外気温度が上昇しても、或は前バンド１８が裏面側に湾曲しても空間部２０が潰れることがなく、本来の高輝度が維持され注意喚起の効果を十分に発揮できる。
更に、光反射テープ２１の横幅がバンド本体１９の横幅よりも狭く、一本のストライプとして見えるので、一側面全体を覆うように取付けられるものに比較しデザイン的にも優れ、商品価値も高い。
【００２３】
本発明の鞄類に用いるバンドの第二実施形態を、第一本実施形態と相違する点について説明すれば、図５に示す如く有色樹脂層１９ａ内に、その長手方向に沿って例えばグラスファイバー製の補強線材３６を左右２本づつ埋入している。これはバンド本体１９が合成樹脂製であることから、使用方法によってはその無用な伸びを防止するためである。
補強線材３６はグラスファイバー製の他に金属製の物を使用するようにしても良く、またその本数は必要に応じて１本又は３本又はこれ以上であっても良い。
【００２４】
【実施例】
以上のように、本発明の鞄類に使用する前バンドは、本来表皮と裏皮等を縫着して成形される所、合成樹脂の押出し成形により簡単に製造でき、適宜長さで切断し、鳩目２９により容易に装着できる。また、有色樹脂層１９ａの色を装着する鞄類の色に合わせて自由に変更出来る。
光反射テープ２１の反射面２１ａを主としてガラスビーズタイプのものを使用したが、プリズムタイプのもの，更にはその他の反射テープを使用しても良いこと勿論である。
透光性樹脂部２２として、透光性と耐熱性を有するポリエステルフイルムやポリエステルシートを用いることが望ましいが、透光性と耐熱性、更に柔軟性を有する樹脂であれば、材質は自由である。
【００２５】
空間部２０の形成により反射が増大するのは、透明樹脂層１９ｂより入射した光が、光反射テープ２１と透明樹脂層１９ｂとの間で反射を繰り返すためと思われる。また、光反射テープ２１と透明樹脂層１９ｂとの間に透光性樹脂部２２を介在しても反射が減少しないのは、透明樹脂層１９ｂと透光性樹脂部２２との反射率が相違するためと思われる。
また、空間部２０の形成と透光性樹脂部２２の介在により透明樹脂層１９ｂの幅中央部が膨出し、レンズの作用をするためとも考えられる。
【００２６】
【発明の効果】
本発明による鞄類は上記の通りであるから、次の効果を奏する。
請求項１の鞄類は、バンドを構成する有色樹脂層と透明樹脂層との間の空間部内に、光反射テープを備えると共に、光反射テープの反射面側に透光性樹脂部を備えているので、外気温度やバンドの使用状態に左右されることなく本来の輝度を常に維持し、注意喚起の効果を十分に発揮することとなり、これにより交通安全に貢献する。しかも鞄類の製作の簡易化が図られると共に製作コストも低廉になし得る。
また、光反射テープは空間部内にあって、透明樹脂層で覆われているので、反射力は長期間に渡り維持することが可能となる。
【００２７】
請求項２の鞄類は、請求項１の効果に加えて、有色樹脂層内の長手方向に沿って補強線材を埋入しているので、バンドの無用な伸びを防止することができる。その結果、光反射テープや透光性樹脂部の破断を防止し、長期使用に十分耐え得るようにすることができる。
【図面の簡単な説明】
【図１】本発明鞄類のランドセルを示す斜視図である。
【図２】第一実施形態に係るバンド本体の斜視図である。
【図３】（イ）（ロ）（ハ）図２の構造例を示す拡大断面図である。
【図４】前バンドの斜視図である。
【図５】（イ）（ロ）（ハ）第二実施形態に係るバンド本体の構造例を示す拡大断面図である。
【図６】バンド本体の成形方法を示す工程図である。
【符号の説明】
１  収容部
２  背板部、３  前板部、４  底板、５  まち板
６  開口部
１０  ポケット
１１  被せ蓋
１８（１８ａ，１８ｂ）  前バンド
１９  バンド本体、１９ａ  有色樹脂層、１９ｂ  透明樹脂層
２０  空間部
２１  光反射テープ、２１ａ  反射面
２２  透光性樹脂部
３６  補強線材
【図１】
0003988074.tif 000002
【図２】
0003988074.tif 000003
【図３】
0003988074.tif 000004
【図４】
0003988074.tif 000005
【図５】
0003988074.tif 000006
【図６】
0003988074.tif 000007